【手続補正書】
【提出日】平成19年3月28日(2007.3.28)
【手続補正１】
【補正対象書類名】明細書
【補正対象項目名】特許請求の範囲
【補正方法】変更
【補正の内容】
【特許請求の範囲】
【請求項１】  前端面が開放した箱型のハウジングと、該ハウジング内に前後方向摺動可能に収容された引出体とを具備し、上記引出体を前方へと摺動させて引き出すことにより、該引出体が上記ハウジングの前端面から前方へと突出する引出機構において、
上記ハウジング又は引出体のいずれか一方に、直線状の第１ガイド溝と少なくとも一部に一側方へと斜行する斜行部を有する第２ガイド溝とを前後方向に沿って並設すると共に、他方に上記第１ガイド溝に摺動可能に挿入される第１ガイド突起と上記第２ガイド溝に摺動可能に挿入される第２ガイド突起とを突設し、上記引出体を引き出す際に上記第１及び第２ガイド突起がそれぞれ上記第１及び第２ガイド溝内を摺動し、上記第２ガイド突起が上記第２ガイド溝の斜行部を摺動することにより引出体が上記第１ガイド突起を中心にして回動しながら引き出され、該引出体が所定角度スイングした状態で上記ハウジングの前端面から突出するように構成したことを特徴とする引出機構。
【請求項２】  上記ハウジングの両側壁内面又は上記引出体の両側面のいずれか一方に前後方向に沿ってスライド溝が形成されていると共に、他方にこのスライド溝に摺動可能に挿入されるスライド突条が突設され、かつ引出体に形成された上記スライド溝又はスライド突条の少なくとも一部に、該引出体の上記回動運動に対応した湾曲部又は傾斜部を有する請求項１記載の引出機構。
【請求項３】  上記第１及び第２両ガイド溝が、上記ハウジングの前端開放面又は上記引出体の後端に開口している請求項１又は２記載の引出機構。
【請求項４】  上記第１及び第２両ガイド溝が上記ハウジングの底壁内面に形成されていると共に、上記第１及び第２両ガイド突起が上記引出体の下面に突設されている請求項１〜３のいずれか１項記載の引出機構。
【請求項５】  前端面が開放した箱型のハウジングと、カップ類を保持するための機構を備え、上記ハウジング内に前後方向摺動可能に収容されたホルダー部材とを具備し、使用時に上記ホルダー部材を前方へと摺動させて上記ハウジングから引き出すことにより、該ホルダー部材が上記ハウジングの前端面から前方へと突出するカップホルダーユニットにおいて、上記ハウジングとホルダー部材との間に請求項１〜４のいずれか１項記載の引出機構が構成されていることを特徴とするカップホルダーユニット。
【手続補正２】
【補正対象書類名】明細書
【補正対象項目名】０００５
【補正方法】変更
【補正の内容】
【０００５】
しかしながら、このカップホルダーは、ハウジングａから引出された状態のホルダーｃがスイング可能であるため、カップ類を保持した状態でも左右に揺動しやすく、特に自動車内では揺れや振動が常に発生するため使用時の安定性が不十分である。この場合、引出されたホルダーｃを所定角度スイングさせた状態でロックするロック手段を設けることは可能であるが、このようなロック手段を設ける場合、部品点数が多くなると共に組み立て作業も煩雑化してコスト高を招くこととなる。
【手続補正３】
【補正対象書類名】明細書
【補正対象項目名】０００６
【補正方法】変更
【補正の内容】
【０００６】
また、図８に示したように、ハウジングａ内に前後方向に摺動可能なスライドガイド体ｅを設けると共に、前端側が一側方へと斜行したガイド溝ｂを設け、ホルダーｃには上記ガイド溝ｂに挿入される第１ガイド突起ｄと上記スライドガイド体ｅに設けられたスライドガイド溝ｆに挿入される第２ガイド突起ｇとを設け、ホルダーｃをハウジングａから一側方へとスライドさせながら引出すように構成したカップホルダーも提案されている。即ち、このカップホルダーは、図８（Ｂ）に示されているように、ホルダーｃをハウジングａから引出すとホルダーｃと共に上記スライドガイド体ｅがホルダーｃと共に前方へと移動し、ホルダーｃの上記第１ガイド突起ｄが上記ガイド溝ｂの斜行部にガイドされると共に、上記第２ガイド突起ｇがスライドガイド体ｅのスライドガイド溝ｆにガイドされ、ホルダーｃが一側方へとスライドした状態に引出されるものである。
【手続補正４】
【補正対象書類名】明細書
【補正対象項目名】０００７
【補正方法】変更
【補正の内容】
【０００７】
このカップホルダーは、引出された状態のホルダーが比較的安定した姿勢を維持することができ、上記図７のカップホルダーのような問題を解消することができるが、上記スライドガイド体ｅを必要とするため部品点数が多くなり、またスライドガイド体ｅとホルダーｃとを連結させた状態でハウジングａ内に組み込まなければならず、組立作業が煩雑化するという問題があり、またこれが組み立て効率（製造効率）を低下させ、コスト高を招く結果となる。
【手続補正５】
【補正対象書類名】明細書
【補正対象項目名】０００９
【補正方法】変更
【補正の内容】
【０００９】
本発明は、上記目的を達成するため、前端面が開放した箱型のハウジングと、該ハウジング内に前後方向摺動可能に収容された引出体とを具備し、上記引出体を前方へと摺動させて引き出すことにより、該引出体が上記ハウジングの前端面から前方へと突出する引出機構において、上記ハウジング又は引出体のいずれか一方に、直線状の第１ガイド溝と少なくとも一部に一側方へと斜行する斜行部を有する第２ガイド溝とを前後方向に沿って並設すると共に、他方に上記第１ガイド溝に摺動可能に挿入される第１ガイド突起と上記第２ガイド溝に摺動可能に挿入される第２ガイド突起とを突設し、上記引出体を引き出す際に上記第１及び第２ガイド突起がそれぞれ上記第１及び第２ガイド溝内を摺動し、上記第２ガイド突起が上記第２ガイド溝の斜行部を摺動することにより引出体が上記第１ガイド突起を中心にして回動しながら引き出され、該引出体が所定角度スイングした状態で上記ハウジングの前端面から突出するように構成したことを特徴とする引出機構、及び、
前端面が開放した箱型のハウジングと、カップ類を保持するための機構を備え、上記ハウジング内に前後方向摺動可能に収容されたホルダー部材とを具備し、使用時に上記ホルダー部材を前方へと摺動させて上記ハウジングから引き出すことにより、該ホルダー部材が上記ハウジングの前端面から前方へと突出するカップホルダーユニットにおいて、上記ハウジングとホルダー部材との間に上記引出機構が構成されていることを特徴とするカップホルダーユニットを提供する。
【手続補正６】
【補正対象書類名】明細書
【補正対象項目名】００１０
【補正方法】変更
【補正の内容】
【００１０】
本発明の引出機構は、上記のように、ハウジング又は引出体のいずれか一方に形成された直線状の第１ガイド溝と斜行部を有する第２ガイド溝の２つのガイド溝に、ハウジング又は引出体の他方に設けられた第１ガイド突起と第２ガイド突起をそれぞれ摺動可能に挿入し、上記引出体をハウジングから引出す際に上記第１，第２両ガイド突起が上記第１，第２両ガイド溝を摺動し、このとき第２ガイド突起が第２ガイド溝の斜行部にガイドされることにより、引出体が第１ガイド突起を中心に所定角度回動し、引出体が所定角度回動した状態でハウジングの前端面から引き出されるものである。
【手続補正７】
【補正対象書類名】明細書
【補正対象項目名】００１２
【補正方法】変更
【補正の内容】
【００１２】
しかも、ハウジングと引出体に上記第１，第２ガイド溝及び第１，第２ガイド突起を設ければよく、図８のカップホルダーのようなスライドガイド体ｅを必要とせず、また引出体を所定のスイング角度でロックするロック機構を設ける必要もないので、少ない部品点数で構成することができる上、ハウジング内に上記第１，第２ガイド溝と第１，第２ガイド突起とを係合させるように引出体をセットするだけの簡易な作業で、容易に組み立てることができ、組み立て時の作業工程を少なくすることができ、また効率よく組立作業を行うことができる。これにより、製造コストを効果的に削減して安価に製造することができるものである。
【手続補正８】
【補正対象書類名】明細書
【補正対象項目名】００１６
【補正方法】変更
【補正の内容】
【００１６】
即ち、通常はハウジングの上端壁又は下端壁を本体と別体に形成し、引出体をガイド溝とガイド突起とを係合させるようにハウジング内にセットして上記上端壁又は下端壁をハウジング本体に取り付けることにより、ハウジングに引出体を組み付ける必要があるが、上記のように上記第１及び第２両ガイド溝を、上記ハウジングの前端開放面又は上記引出体の後端に開口させることにより、上端壁及び下端壁を有する（例えばこれらを一体成形した）ハウジングの前端開放面から、上記第１及び第２両ガイド溝の開口端に上記ガイド突起を挿入するように、引出体を挿入して、ハウジングに引出体を組み付けることができ、極めて簡便に引出し機構を構成することができるものである。
【手続補正９】
【補正対象書類名】明細書
【補正対象項目名】００３５
【補正方法】変更
【補正の内容】
【００３５】
そして、図３に示されているように、ホルダー部材２の第２ガイド突起２８が斜行部１５１の頂部に達すると、係止凸部２５がハウジング１の上壁前部１１１に当接して前方移動限となると共に、緩ロック突起２６がハウジング１の上壁前部１１１の下に潜り込み第１緩ロック穴１１３に嵌合してこの状態で緩ロックされる。
【手続補正１０】
【補正対象書類名】明細書
【補正対象項目名】００４５
【補正方法】変更
【補正の内容】
【００４５】
即ち、本実施例のカップホルダーユニットでは、ハウジング１の前端開放面から、上記第１及び第２両ガイド溝１４，１５の開口端に上記第１，第２ガイド突起２７，２８を挿入するように、ホルダー部材２を圧入して、ハウジング１内にホルダー部材２を組み付けることができ、極めて簡便に引出し機構を構成することができるものである。
【手続補正１１】
【補正対象書類名】明細書
【補正対象項目名】００４８
【補正方法】変更
【補正の内容】
【００４８】
【発明の効果】
以上説明したように、本発明の引出機構及び該引出機構を用いたカップホルダーユニットによれば、カップ類を保持するホルダー等の引出体を一側方へとスイングさせて引出すことができると共に、引出した引出体を安定的に保持することができ、かつ少ない部品点数で組立作業も容易であり、安価に構成することができる。